(57)【要約】  本発明は、（ａ）第一デバイスから情報を取得する段階であって、前記情報は第二デバイスの設定に関係する、段階；（ｂ）前記第二デバイスの前記関係する情報に基づいて前記第二デバイスの設定情報を取得する段階；および（ｃ）前記設定情報により前記第二デバイスを設定する段階；を有する方法を提供する。
2012514250.tif 000002
【特許請求の範囲】
【請求項１】
（ａ）第一デバイスから情報を取得する段階であって、前記情報は第二デバイスの設定に関係する、段階；
（ｂ）前記第二デバイスの前記関係する情報に基づいて前記第二デバイスの設定情報を取得する段階；および
（ｃ）前記設定情報により前記第二デバイスを設定する段階；
を有する方法。
【請求項２】
前記段階（ａ）、（ｂ）及び（ｃ）が前記第二デバイスによって実行される、請求項１に記載の方法。
【請求項３】
前記第二デバイスの設定に関係する前記情報は、前記第二デバイスの位置情報を含む、請求項１に記載の方法。
【請求項４】
前記段階（ｂ）は、前記第二デバイスが記憶媒体から前記設定情報を読み出す段階をさらに有する、請求項１に記載の方法。
【請求項５】
前記段階（ｂ）は、サーバへ前記関係する情報を送信する段階、及び前記サーバが前記設定情報を生成する段階をさらに有する、請求項１に記載の方法。
【請求項６】
前記段階（ａ）は、シリアル通信によって前記第一デバイスと前記第二デバイスを結びつける段階をさらに有する、請求項１に記載の方法。
【請求項７】
前記第一デバイスは携帯デバイスである、請求項１に記載の方法。
【請求項８】
前記第一デバイスはメモリ及び入出力インターフェースを有する、請求項１に記載の方法。
【請求項９】
前記第二デバイスは広告システムにおけるディスプレイデバイスである、請求項１に記載の方法。
【請求項１０】
第二デバイスの設定に関係する情報を含む第一デバイス；および
前記第一デバイスに含まれる前記関係する情報を取得し、かつ、少なくとも前記関係する情報に基づいて自ら設定を行う、前記第二デバイス；
を有するシステム。
【請求項１１】
前記第二デバイスの設定に関係する前記情報は、前記第二デバイスの位置情報を有する、請求項１０に記載のシステム。
【請求項１２】
前記第二デバイスの設定情報を有する記憶媒体；をさらに有し、
前記第二デバイスは、前記自ら設定を行うために前記記憶媒体から前記設定情報を読み出すためにさらに設定される、
請求項１０に記載のシステム。
【請求項１３】
前記第一デバイスは携帯デバイスである、請求項１０に記載のシステム。
【請求項１４】
前記第一デバイスはマイクロコントローラを有する、請求項１０に記載のシステム。
【請求項１５】
前記第二デバイスは、プロセッサ及び前記自ら設定を行うためのソフトウェアを有する、請求項１０に記載のシステム。
【請求項１６】
前記第一デバイスはシリアル通信インターフェースを有する、請求項１０に記載のシステム。
【請求項１７】
前記関係する情報に基づいて前記第二デバイスへ設定情報を提供するためのサーバをさらに有する、請求項１０に記載のシステム。
【請求項１８】
前記第二デバイスは広告システムのディスプレイデバイスである、請求項１０に記載のシステム。
【発明の詳細な説明】
【技術分野】
【０００１】
この発明は、ネットワークにおいてデバイスを設定する方法及びシステムに関する。
【背景技術】
【０００２】
小売販売網などにおける広告用ディスプレイシステムは複雑であり、システムの適切な設定を確実にするために、詳細なセットアップ情報が必要とされる。
【０００３】
多くのスクリーンを備える小売店において、それぞれの売り場におけるスクリーンの位置に関する情報は、それぞれのスクリーン上における展示のための正しい映像を提供するために必要とされる。“スクリーン”は、実際には、例えばフラットパネル液晶ディスプレイ（ＬＣＤ）又はプラズマディスプレイのようなビデオディスプレイ、セットトップボックス又はその他のメディア復号装置、音声復号機及び／又はアンプ、スピーカ及び場合によりディスプレイを覆うタッチスクリーンパネルのようなインタラクティブなデバイスを含む、複数の分離したデバイスを有している。これらの分離した構成部品のそれぞれは、システム内で適切に機能するよう設定される必要があることがある。
【先行技術文献】
【特許文献】
【０００４】
【特許文献１】国際公開第２００８／１２３８５８号
【発明の概要】
【発明が解決しようとする課題】
【０００５】
設置又は置き換えの時、様々な構成部品の設定の詳細は、システムに入力される。従来のシステムでは、これらの設定はデバイスとメインビデオサーバーシステムとの両方に入力される。例えば、デバイスは通常インターネットプロトコル（ＩＰ）ネットワーク技術に基づいており、したがって、ＩＰアドレスの割り当てを必要とする。標準の主流のネットワーク技術は、アドレスのプールから一つのアドレスを割り当てるため、ＤＨＣＰ（ｄｙｎａｍｉｃ  ｈｏｓｔ  ｃｏｎｆｉｇｕｒａｔｉｏｎ  ｐｒｏｔｏｃｏｌ）を用いる。しかしながら、その方法は、店内のディスプレイシステムにおいては機能しない。なぜならば、前記システムは、小売店（例えば、食料品店、電機店、ドラッグストアなど）内のそれぞれのデバイスの位置を知る必要があるからである。同様に、アンプのデフォルトの音声ボリュームレベル、アンプのイコライゼーションプロファイルなどのような他の設定パラメータは、各デバイスがどこに位置しているかを確実に認識しているシステムに依存する。現在の慣習は、先に述べたとおり、特定の位置へＩＰアドレスを割り当てることに依存し、次に設置位置に合致するよう設置時にデバイスを手動で設定する。このアプローチは比較的単純であるが、時間を浪費し、かつヒューマンエラーの影響も受けやすい。その結果、追加の設置コスト及び設置における時間的遅延をもたらす可能性がある。
【課題を解決するための手段】
【０００６】
一つの実施形態は：
（ａ）第一デバイスから情報を取得する段階であって、前記情報は第二デバイスの設定に関係する、段階；
（ｂ）前記第二デバイスの前記関係する情報に基づいて前記第二デバイスの設定情報を取得する段階；および
（ｃ）前記設定情報により前記第二デバイスを設定する段階；
を有する方法を提供する。
【０００７】
別の実施形態は、第二デバイスの設定に関係する情報を含む第一デバイス、および
前記第一デバイスに含まれる前記関係する情報を取得し、かつ、少なくとも前記関係する情報に基づいて自ら設定を行う、前記第二デバイスを有する、システムを提供する。
【０００８】
本発明の教示は、添付される図面とともに、次の詳細な説明を考慮することにより容易に理解されることができる：
【発明の効果】
【０００９】
本発明の実施形態は、設置が短時間に完了し、かつ、少ないヒューマンエラーで完了することを可能にする、自動的にデバイスを設定するための方法を提供する。
【図面の簡単な説明】
【００１０】
【図１】本方式の一つの実施形態に従ってネットワークにおいてデバイスを設定するための装置を表す。
【図２】本方式の一つの実施形態に従ってデバイスを設定するための方法を表す。
【図３】本方式の一つの実施形態に従ってデバイスを設定するための方法を表す。
【発明を実施するための形態】
【００１１】
理解を容易にするため、可能ならば、図面に共通する同一の要素を指定するために同一の参照番号が用いられる。
【００１２】
本発明の実施形態は、ネットワーク内の設備における一つ以上のデバイスを設定するための方法及び装置を提供する。一つの実施形態は、携帯デバイスをデバイスに結びつけることにより、該デバイスを自動的に設定することを提供する。携帯デバイスは、例えばデバイスによって読み出される位置情報などのデバイスの情報に関係する情報を有する。位置情報に基づいて、設定情報はデバイスへ提供され、又はデバイスによって取得されることができる。前記デバイスは、構成情報によって自ら設定する。
【００１３】
一つの実施形態において、デバイスは記憶装置（ローカルかリモート）から、デバイスの位置（第一デバイスからの位置情報によって識別されるような）に適切な設定情報を取得し、次に続けて設定情報に基づいて自ら設定を行う。別の実施形態において、位置情報はデバイスによってサーバへ送信される。それに応じて、サーバはデバイスへ設定情報を送信する。デバイスは、設定情報に基づいて自ら設定する。
【００１４】
本発明の実施形態は、様々な建物又は設備、公衆の又は私的な会場を含む、異なった施設に一般的に適用されることができる。一つの実施形態において、施設は、事業所の中の機材又は端末を表示するためのデータ又はコンテンツを管理及び配信するサーバを有する事業所である。別の実施形態において、施設は、例えば、倉庫、ショールーム、店舗、百貨店などの流通、倉庫及び／又は商品の販売もしくはサービスに関係する建物である。さらに別の実施形態において、施設は、小売広告のコンテンツを管理及び配信するためのサーバを備える小売店である。
【００１５】
図１は、施設内の一つ以上のデバイスを設定するための本発明の一つの実施形態を表す。一つの実施形態において、前記デバイスは、メディア配布システム１００の中の構成部品である。メディア配布システム１００は、メディア配布及び表示のために一般的に用いられるデバイスと動作可能なように結び付けられたサーバ１４０を有する。このサーバは、施設又は会場でローカル接続されてもよく、あるいは、ネットワーク接続が利用可能であるとき、サーバはリモートに配置されてもよい。サーバ１４０は、例えばＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）などのネットワーク１５０を通じてこれらのデバイスと通信することができる。
【００１６】
一つの例において、メディア配布システム１００は、例えば店内の広告ネットワーク内にあるような、ビデオディスプレイシステムである。さらに、それぞれのデバイス１０２、１０４、１０６、１１２及び１１４は、コンテンツの配信及び表示に一般的に用いられる様々なデバイスであることができる。前記様々なデバイスには、例えば、セットトップボックス又は受信機、液晶ディスプレイ（ＬＣＤ）又はプラズマディスプレイのようなビデオディスプレイ、デコーダ、アンプ、スピーカその他を有する音声関連機材がある。サーバ１４０は、店舗からいくらか離れた位置又は同じ店舗内に、設定可能なデバイスとして配置されることができる。
【００１７】
デバイス１０２及び１０４は、施設内の異なる売り場に配置されることができ、かつ、サーバ１４０と通信し、メディアコンテンツに対応する視聴覚の情報又はデータを受信するよう設定されたハードウェア及びソフトウェアを備えるセットトップボックス（ＳＴＢ）又は受信機であることができる。デバイス１１２及び１１４は、ビデオ表示及び／又は音声再生のために用いられる様々な構成部品又は機材であることができる。デバイス１０６は、施設内の別の場所にある設定可能なさらに別の種類のデバイスであることができ、かつ、サーバ１４０と通信するよう設定されることができる。この発明との関連で、デバイス１０２、１０４、１０６、１１２及び１１４もまた“設定可能な”デバイスとして言及される。前記デバイスの設定パラメータは、サーバ１４０からの情報に少なくとも部分的に基づいて設定され、又は決定されることができる。
【００１８】
本発明は、有線接続又は無線接続を使用するそれぞれの設定可能なデバイスと結び付けられた一つ以上の携帯デバイス１２２、１２４及び１２６を提供する。例えば、携帯デバイス１２２、１２４及び１２６は、ＲＳ−２３２シリアルポート、ユニバーサルシリアルバス（ＵＳＢ）、Ｂｌｕｅｔｏｏｔｈ電波又は他の適切な通信ポート若しくはインターフェースを通じて、一つ以上の設定可能なデバイスと結び付けられることができる。例えばデバイス１２２、１２４又は１２６のような携帯デバイスは、例えば設定可能なデバイスの位置情報を含む、少なくとも一つの設定可能なデバイスの設定に関連する情報を有する。店内広告システムのために、スクリーンのある場所又は売り場のためのメディアコンテンツは、一般に、売り場における製品特有のものである。したがって、メディア表示デバイスの設定は、店舗内のデバイスの位置にも依存する。
【００１９】
設定可能なデバイスの設置、修理及び／又は再構成の間、デバイス１２２のような形態デバイスは、設定可能なデバイス１１２に、例えば設置職員によって、結び付けられる。設定可能なデバイス１１２は、例えば位置情報のような設定可能なデバイスに関係する情報、又は設定可能なデバイス１１２に予め設定された位置コードを識別するシグネチャ（ｓｉｇｎａｔｕｒｅ）を読み込み、かつ、探索するソフトウェア及び／又はプロセッサ（あるいは、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ  ｐｒｏｇｒａｍｍａｂｌｅ  ｇａｔｅ  ａｒｒａｙ）又は他の論理的機能の組み合わせを実装する他の電子機器のようなハードウェアデバイスで実装される同一の機能）を有する。位置コードは、例えば、製品カテゴリ、又は、例えば食料品、ドラッグストア、電機店などの売り場を示すことができる。他の実施形態に置いて、携帯デバイス１２２は、異なる施設又は異なる地理的位置においてデバイス設置のために用いられることができる。したがって、デバイス設定に関係する位置情報は、施設の種類又は地理的な位置もまた含むことができる。例えば、ある地域におけるドラッグストア売り場のビデオ表示は、別の地域の表示と異なるよう設定することができる。
【００２０】
関係のある位置情報又は位置コードを携帯デバイスから受信した後、設定可能なデバイス１１２は、ネットワーク１５０を通じて位置情報を送信する。一つの実施形態において、設定可能なデバイス１１２がＤＨＣＰ（ｄｙｎａｍｉｃ  ｈｏｓｔ  ｃｏｎｆｉｇｕｒａｔｉｏｎ  ｐｒｏｔｏｃｏｌ）を用いて一時的なＩＰアドレスを取得した後、ブロードキャストアドレス又はマルチキャストアドレスを用いて送信を行うことができる。一時的なＩＰアドレスは、リモートサーバとの通信を容易にするために用いられる。この一時的なＩＰ設定を用いて、デバイス１１２は、マルチキャスト又はブロードキャストプロトコルを通じてその位置情報と共にメッセージを送信することができる。これにふさわしい一つのプロトコルは、ＤＧＣＰ（Ｄｅｖｉｃｅ  Ｇｒｏｕｐ  Ｃｏｎｔｒｏｌ  Ｐｒｏｔｏｃｏｌ）である。ＤＧＣＰは、グループ内の複数のデバイスへの通信をサポートするとても効率的なネットワークプロトコルである。前記プロトコルの詳細は、公開されたＰＣＴ特許出願において記載されている。前記出願は、２００７年６月１３日に出願されたＷＯ２００８／１２３８５８  Ａ１  “Ｄｅｖｉｃｅ  Ｇｒｏｕｐ  Ｃｏｎｔｒｏｌ”であり、参照することによりその全てが援用される。
【００２１】
他の実施形態は、ネットワーク自体の設定が位置に基づく設定を行うために用いられるデータの一部分ではない場合には、例えば、ＢｌｕｅＴｏｏｔｈ電波、ＺｉｇＢｅｅ電波、シリアル接続又は他のネットワーク技術のような、中央のサーバへの別の接続方法の選択を用いることができる。
【００２２】
設定可能なデバイス１０２からの位置コードに基づいて、サーバ１４０は、デバイス１１２の設定情報を決定する。例えば、サーバ１４０は、デバイス１１２のスクリーン位置の特定のＩＰアドレス及び／設定パラメータを決定するための参照テーブル、データベース又は他のインデックス化された手段を用いることができる。デバイス１１２（及び他の設定可能なデバイス）は、サーバがデバイスの種類（例えば、ビデオ、音声など）が何であり、何が設定されるために必要か、理解できるような形でサーバ１４０と通信するので、サーバ１４０は、その位置のその特定のデバイスのための適切な設定データと共に応答することができる。いくつかの実施形態において、デバイスの所望のＩＰアドレスは、位置に基づいて選択されることができる。一つ以上の設定メッセージは、ＤＧＣＰ又は同様のプロトコルを用いてサーバ１４０からデバイス１１２へと送られることができる。設定メッセージは、例えば一つ以上のデバイス１１２によって使用される設定パラメータ及び／又は特定のＩＰアドレスの割り当てのような情報を有することができる。
【００２３】
さらに別の実施形態において、デバイス１１２は、記憶媒体を含む別のデバイス又は構成部品１３０へのアクセスを提供される。構成部品１３０は、例えば、設定情報を記憶するハードディスクドライブ又は他の適切な記憶装置であることができる。そのような設定情報は、サーバ１４０に利用可能な情報と同様である。前記設定情報は、例えば、デバイス１１２に適切な少なくとも一つの設定パラメータを含む。さらに、前記設定情報は、施設内の多数の異なる位置に対応する設定情報を含むことができる。携帯デバイス１２２から取得される位置情報に基づいて、設定可能なデバイス１１２は、デバイスの位置のために適切な設定情報を選択することができる。あるいは、設定情報を有する記憶媒体又はハードドライブは、デバイス１１２の内部に存在することもできる。
【００２４】
設定可能なデバイス１１２は、受信された情報又はパラメータにより自動的に設定を適用することができる。言い換えると、設定可能なデバイス１１２は、デバイス上のプロセッサ及び関連付けられたソフトウェアを用いて、人の介在なしに、自分自身を設定する。一度設定されると、デバイス１１２は、例えばメディア配布システム内のビデオディスプレイ又は他のメディア装置として、それに応じて動作し始めることができる。デバイス１１２の設置又は自動設定の完了は、例えば正しいビデオが再生される、又は視覚的及び／又は聴覚的合図（ライトの点灯又は可聴音）のような他の指標のような、デバイス１１２の次の適切な操作によって示される。携帯デバイス１２２は、次に、設定可能なデバイス１１２から切り離すことができる。
【００２５】
設定可能なデバイス１１２のＲＳ−２３２シリアルポートが、携帯デバイスとの連結に使用されているとき、この同一のポートは、メディア配布システム内の他の機材への接続のために用いられることができる。そして、前記システムは、通常の手順にしたがってシリアル機材を検出し、制御し、かつ／又は設定することもできる。
【００２６】
これらの携帯デバイスは、異なる構成部品及び／又は機能性を有することができる。例えば、一つの実施形態は、差込式のメモリーカードであることができ、前記メモリーは位置コードを保存する。別の実施形態は、マイクロプロセッサ、メモリ及びＩ／Ｏデバイスを有することができる。さらなる別の実施形態は、接近したとき設定可能なデバイスによって読み込まれるＲＦＩＤ（Ｒａｄｉｏ  Ｆｒｅｑｕｅｎｃｙ  ＩＤ）を有することができる。これらのデバイスは比較的高価でないので、それぞれの設置チームは、それぞれの位置又は施設のためのいくつかの携帯デバイスを有することができ、より効率的又はスピーディな設置を可能にする。
【００２７】
既に述べたように、これらの携帯デバイスは、一つの施設内又は異なる施設内の異なる位置又は売り場においてデバイス設置又は設定のために必要に応じて用いられることができる。別の実装において、（固定の位置コードを有する代わりに）一つの施設内の一つ以上の売り場又は位置の位置情報を有する携帯デバイスは、複数の位置コードの中から選択するための手段と共に提供されることができる。この例は、異なる位置コードの間で選択するために押されることができる選択スイッチ又はボタンを含むことができる。
【００２８】
別の実施形態において、携帯デバイス１２２は、ＳＮＤライン（ＳＮＤ  ｌｉｎｅ）及びＲＣＶライン（ＲＣＶ  ｌｉｎｅ）に結合される小さなマイクロコントローラを備えるＲＳ−２３２プラグである。別の実施形態は、パラレル（プリンタ）ポートへ接続する小さなプラグであることができる。このデバイスは、例えば直径１インチ程度の、おおよそコインのサイズであることができる。携帯性のために適切な他の設定又は設計は、また条件を満たす。また、前記デバイスは、例えばプログラムされた位置コードを示すため、色で塗り分けられることもできる。マイクロコントローラは、定期的にＳＮＤライン上に送信することによって所定の連続するデータビットを送信することができる。この連続するビットは、位置コードとともにペイロードが従うヘッダからなる。前記ヘッダは、ペイロードが位置コードであること示す。設定可能なデバイス１１２のソフトウェアは、そのような送信のためにリッスンし、デバイス１２２によって送信される位置コードは、デバイス１１２によって読み込まれることができる。
【００２９】
図２は、本発明の一つの実施形態による方法を説明する略図である。前記方法により、情報及び／又はデバイスの設定を手動で取得することなく、自動でデバイスを設定する効果がある。
【００３０】
ステップ２０２において、第一デバイス（例えば、携帯デバイス）に保存される、第二デバイス（例えば、設定可能なデバイス）を設定するために関係する情報は、第二デバイスによってアクセスされる。前記アクセスは、第一デバイスと第二デバイスとを動作可能なように結びつけることによって可能となる。本発明との関係で、第二デバイスを設定することに関係する情報は、デバイスの設定に作用することができ、又は、デバイスの設定を決定するために用いられる、いかなる情報をも含む。そのような情報は、例えば施設内、又は施設の地理的な位置のような、設定可能なデバイスの位置を含む。
【００３１】
ステップ２０４において、第二デバイスの設定に関係する情報は、第二デバイスによってサーバへ送信される。
【００３２】
ステップ２０６において、設定可能なデバイスのための設定情報は、デバイスの関係する情報に基づき、サーバによって決定される。この決定は、例えば、少なくとも一つの設定パラメータ及び／又はデバイスの位置コードの計画されたＩＰアドレスを記載する、参照テーブル又はデータベースの使用によってなされることができる。
【００３３】
ステップ２０８において、第二デバイスの設定情報は、サーバによって送信され、第二デバイスによって受信される。
【００３４】
ステップ２１０において、第二デバイスは、受信された設定情報により、例えばデバイス上のプロセッサによって実行される自己設定手順を通して、設定される。
【００３５】
別の実施形態において、第二（設定可能な）デバイスは、他の選択肢を通じて、すなわち位置情報をサーバに送信せずに、設定情報を取得するために設定される。例えば、第二デバイスは、異なるデバイス又は構成部品（ローカル接続の記憶装置を含む）と直接結合するために適切なソフトウェア及び／又はハードウェアとともに提供されることができる。それにより、設定情報が、第一デバイスによって提供された関係する情報、例えば位置情報に基づいて、第二デバイスによって読み出されることを可能にする。したがって、第二デバイスは、第三デバイスから読み出した設定情報により再度自らを設定することができる。
【００３６】
さらなる別の実施形態において、設定可能なデバイスは、既に保存された異なる位置の設定情報を有するハードディスク又は他の適切な記憶装置を有する。携帯デバイスからの情報、例えばデバイスの位置情報に基づいてデバイスは、記憶装置から適切な設定情報を取得し、又は選択し、かつ、それに応じて自ら設定を行うことができる。図３は、本発明の別の実施形態の実装のための方法３００を示す。
【００３７】
ステップ３０２において、第二デバイス（例えば、設定可能なデバイス）を設定することに関係する、第一デバイス（例えば、携帯デバイス）に保管される情報が、第二デバイスによってアクセスされる。前記アクセスは、第一デバイスと第二デバイスを実行できるように結び付けることにより、可能となる。本発明との関連で、第二デバイスを設定することに関係する情報は、デバイスの設定に作用することができ、又は、デバイスの設定を決定するために用いられるいかなる情報をも含む。一つの実施形態において、第一デバイスからの情報は、例えば施設内で設定可能なデバイスの位置（例えば、位置コードの形において）又は施設の地理的位置を含む。
【００３８】
ステップ３０４において、第二デバイスの設定情報は、デバイスの関係する情報、例えば場所に基づいて決定される。この決定は、例えば、少なくとも一つの設定パラメータ及び／又はデバイスの位置コードの計画されたＩＰアドレスを記載する、参照テーブル又はデータベースの使用によって、行われることができる。一つの例において、第二デバイスは、異なる位置の設定情報を有し得る設定情報を保存するローカルの記憶装置（例えば、自己のハードディスク又は他の記憶媒体、又は第二デバイスが利用できる別のメモリ）へアクセスする。位置情報に基づき、第二デバイスは、適切な設定情報を取得し、又は選択することができる。
【００３９】
ステップ３０６において、第二デバイスは、設定情報により、例えばデバイスのプロセッサによって実行される自己設定手順を通して、設定される。
【００４０】
本方式の実施形態は、誤りを減らし、かつ、短時間で設置を完了することを可能にする。データ修正、送信及び自己設定を実行する設定可能なデバイスを用いて、設定が自動で完了するため、ヒューマンエラーは最小化されることができ、コスト削減と設置料金の改善をもたらす。
【００４１】
上記は本発明の実施形態に関するが、本発明の他の多くの実施形態が本発明の基本的な範囲から逸脱することなく構成されてもよい。そのため、本発明の適切な範囲は、後続のクレームによって決定されるべきである。
【符号の説明】
【００４２】
１００  メディア配布システム
１０２  デバイス
１１２  デバイス
１２２  携帯デバイス
１４０  サーバ
１５０  ネットワーク
【図１】
2012514250.tif 000003
【図２】
2012514250.tif 000004
【図３】
2012514250.tif 000005
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
（ａ）第一デバイスから情報を取得する段階であって、前記情報は第二デバイスの設定に関係する、段階；
（ｂ）前記第一デバイスから取得される、前記関係する情報に基づいて前記第二デバイスの設定情報を取得する段階；および
（ｃ）前記設定情報により前記第二デバイスを設定する段階；
を有し、
前記段階（ａ）、（ｂ）及び（ｃ）は前記第二デバイスによって実行される、
方法。
【請求項２】
前記第二デバイスの設定に関係する前記情報は、前記第二デバイスの位置情報を含む、請求項１に記載の方法。
【請求項３】
前記段階（ｂ）は、前記第二デバイスが記憶媒体から前記設定情報を読み出す段階をさらに有する、請求項１に記載の方法。
【請求項４】
前記段階（ｂ）は、サーバへ前記関係する情報を送信する段階、及び前記サーバが前記設定情報を生成する段階をさらに有する、請求項１に記載の方法。
【請求項５】
前記段階（ａ）は、シリアル通信によって前記第一デバイスと前記第二デバイスを結びつける段階をさらに有する、請求項１に記載の方法。
【請求項６】
前記第一デバイスは携帯デバイスである、請求項１に記載の方法。
【請求項７】
前記第一デバイスはメモリ及び入出力インターフェースを有する、請求項１に記載の方法。
【請求項８】
前記第二デバイスは広告システムにおけるディスプレイデバイスである、請求項１に記載の方法。
【請求項９】
第二デバイスの設定に関係する情報を含む第一携帯デバイス；および
前記第一デバイスに含まれる前記関係する情報を取得し、かつ、少なくとも前記関係する情報に基づいて自ら設定を行う、前記第二デバイス；
を有するシステム。
【請求項１０】
前記第二デバイスの設定に関係する前記情報は、前記第二デバイスの位置情報を有する、請求項９に記載のシステム。
【請求項１１】
前記第二デバイスの設定情報を有する記憶媒体；をさらに有し、
前記第二デバイスは、前記自ら設定を行うために前記記憶媒体から前記設定情報を読み出すためにさらに設定される、
請求項９に記載のシステム。
【請求項１２】
前記第一デバイスはマイクロコントローラ及びシリアル通信インターフェースを有する、請求項９に記載のシステム。
【請求項１３】
前記第二デバイスは、プロセッサ及び前記自ら設定を行うためのソフトウェアを有する、請求項９に記載のシステム。
【請求項１４】
前記関係する情報に基づいて前記第二デバイスへ設定情報を提供するためのサーバをさらに有する、請求項９に記載のシステム。
【請求項１５】
前記第二デバイスは広告システムのディスプレイデバイスである、請求項９に記載のシステム。
【手続補正２】
【補正対象書類名】明細書
【補正対象項目名】０００６
【補正方法】変更
【補正の内容】
【０００６】
一つの実施形態は：
（ａ）第一デバイスから情報を取得する段階であって、前記情報は第二デバイスの設定に関係する、段階；
（ｂ）前記第二デバイスから取得される、前記関係する情報に基づいて前記第二デバイスの設定情報を取得する段階；および
（ｃ）前記設定情報により前記第二デバイスを設定する段階；
を有し、前記段階（ａ）、（ｂ）及び（ｃ）は前記第二デバイスによって実行される、方法を提供する。
【手続補正３】
【補正対象書類名】明細書
【補正対象項目名】０００７
【補正方法】変更
【補正の内容】
【０００７】
別の実施形態は、第二デバイスの設定に関係する情報を含む第一携帯デバイス、および
前記第一デバイスに含まれる前記関係する情報を取得し、かつ、少なくとも前記関係する情報に基づいて自ら設定を行う、前記第二デバイスを有する、システムを提供する。
【国際調査報告】
2012514250.tif 000006
2012514250.tif 000007